(57)【要約】【課題】ディジタルＴＶ放送信号受信装置に接続されている多指向性アンテナにおいて、全チャンネルの受信方向調整における全方向スキャンを削減し、弱電界での受信感度を高め、ＢＥＲ値の測定評価でもって受信方向を決定することで、無駄な方向調整時間を省くと共に、常に迅速に最適な受信状態を得る。【解決手段】利得制御されるＲＦ増幅部をチューナの前段に設け、受信画像の評価のためにＢＥＲ（Ｂｉｔ  Ｅｒｒｏｒ  Ｒａｔｅ）の閾値を受信決定基準として設定し、オートスキャン時に、ＲＦ増幅部の増幅利得レベルを段階的に可変制御し、ＢＥＲ値を測定すると共に、ＢＥＲ値がＢＥＲ閾値以下を得たの時点において、残りのスキャン及び利得制御を止め、受信方向を決定する。【選択図】図４
2006033630.tif 000002
【特許請求の範囲】
【請求項１】
予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う放送信号受信手段と、
前記放送信号処理手段により処理された信号を一時的に記憶する記憶手段と、
ディジタルテレビジョン放送信号受信装置の各部を制御する全体制御手段と、
前記放送信号受信手段により受信されたテレビジョン放送信号を復調し、ＢＥＲ（Ｂｉｔ  Ｅｒｒｏｒ  Ｒａｔｅ）値を検出するエラー検出手段と
前記エラー検出手段により検出されたＢＥＲ値を一時的に記憶する記憶手段と、
前記記憶手段に記憶されたＢＥＲ値に基づいて、受信可能な各チャンネルについての最適な受信方向を決定する受信方向決定手段と
前記制御信号出力手段からの利得制御信号により、利得をＯＦＦ（利得０）、Ｌｏｗ、Ｍｉｄｄｌｅ、Ｈｉｇｈの４段階のレベルで利得制御される高周波増幅手段（以下、ＲＦ増幅手段と略称する）とを備え、
前記制御信号出力手段は、前記多指向性アンテナへ制御信号を送り、前記多指向性アンテナの全ての受信方向を順にスキャンするために、所定の間隔で前記制御信号を出力すると共に、前記多指向性アンテナの方向が設定される毎に、前記ＲＦ増幅手段に対し増幅利得レベルを前記４段階に設定する利得制御信号を順に出力し、
前記エラー検出手段は、各チャンネルのスキャンの全受信方向に対し、その受信方向で前記ＲＦ増幅手段の４段階の増幅利得レベル毎にＢＥＲ値を検出し、検出したＢＥＲ値を前記記憶手段に記憶し、
前記受信方向決定手段は、前記ＢＥＲ値がＴＶ受像可能な閾値以下の一定レベルに達した場合は、その時点で現受信チャンネルでの前記多指向性アンテナのスキャンと前記ＲＦ増幅手段の前記利得制御信号による増幅利得レベル変化を停止し、前記受信方向と前記ＲＦ増幅手段の増幅利得レベルを、前記受信チャンネルにおける最適受信方向、最適増幅利得レベルとして前記記憶手段に記憶し、同時に他のチャンネルについても同様の作業を行うことにより、全チャンネルの前記多指向性アンテナの受信方向を決定することを特徴とするディジタルテレビジョン放送信号受信装置。
【請求項２】
予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う放送信号受信手段と、
前記放送信号処理手段により処理された信号を一時的に記憶する記憶手段と、
ディジタルテレビジョン放送信号受信装置の各部を制御する全体制御手段と、
前記放送信号受信手段により受信されたテレビジョン放送信号を復調し、ＢＥＲ（Ｂｉｔ  Ｅｒｒｏｒ  Ｒａｔｅ）値を検出するエラー検出手段と
前記エラー検出手段により検出されたＢＥＲ値を一時的に記憶する記憶手段と、
前記記憶手段に記憶されたＢＥＲ値に基づいて、受信可能な各チャンネルについての最適な受信方向を決定する受信方向決定手段とを備え、
前記受信方向決定手段は、受信可能なチャンネルについて前記多指向性アンテナの全方位の受信方向に連続スキャンし、スキャンされた各受信方向における前記ＢＥＲ値が、設定されたＴＶ受像可能なＢＥＲ閾値以下の一定レベルに達した場合は、その時点でスキャンを停止し、その時点での方向を前記チャンネルの最適な受信方向として決定することを特徴とするディジタルテレビジョン放送信号受信装置。
【請求項３】
前記多指向性アンテナからの高周波信号（以下、ＲＦ信号と略称する）を増幅し、前記制御信号出力手段からの利得制御信号で増幅利得を可変できる電波信号増幅手段（以下、ＲＦ増幅手段と略称する）を備え、
前記受信方向決定手段は、スキャンした各受信方向において、前記ＲＦ増幅手段の増幅利得を単調増大に複数段階の変化させ、前記各段階の前記ＢＥＲ値を検出し、前記ＢＥＲ値が、設定されたＴＶ受像可能なＢＥＲ閾値以下の一定レベルに達した場合は、その時点で現受信チャンネルでの前記多指向性アンテナのスキャンと、前記ＲＦ増幅手段の前記利得制御信号による増幅利得の変化を停止し、この時点での方向を最適な受信方向として決定することを特徴とする請求項２に記載のディジタルテレビジョン放送信号受信装置。
【発明の詳細な説明】
【技術分野】
【０００１】
本発明は、例えばＡＴＳＣなどのディジタルテレビジョン放送信号を受信するためのディジタルテレビジョン放送信号受信装置に関する。
【背景技術】
【０００２】
ＡＴＳＣディジタルテレビジョン放送（以下、ＴＶ放送と略称する）が行われている北米大陸では、平野部に大都市が点在し、各都市の近郊で放送されているＴＶ放送信号を受信するユーザ側から見ると、様々な方向からＴＶ放送信号が送信されてくるため、自分の見たい番組が放送されている放送局の方向にアンテナの向きを調整する必要がある。そこで、スマートアンテナなど多指向性アンテナが実用化されつつある。
【０００３】
ＥＩＡ−９０９規格によれば、スマートアンテナは円を１６分割した各方向に受信方向を有すると規定されている。一方、ＴＶ放送信号を受信するディジタルテレビジョン放送信号受信装置としては、ＥＩＡ−９０９規格に準拠して１６方向の全てに対して多指向性アンテナ受信方向を調整できるように設定されている。
【０００４】
一方、ディジタルテレビジョン放送信号受信装置（以下、ディジタルＴＶ放送信号受信装置と略称する）には、ユーザが選択したチャンネルのＴＶ放送信号を最も状態良く受信できるアンテナの方向を選択するオートスキャン機能が備え付けられているものも存在する。
【０００５】
また、チューナに入力するディジタル放送波のブート回路の利得を切り換えて、ディジタル放送と従来のアナログ信号による放送とが混在する場合でもディジタル放送による番組を良好に視聴する方法（特許文献１参照）、地上波ディジタル放送受信機において、ディジタル放送信号の復号デコーダから随時ＢＥＲ（Ｂｉｔ  Ｅｒｒｏｒ  Ｒａｔｅ）値を求め、これによりアンテナアンプの有無を制御し、受信状態を良好な状態に移行させる方法（特許文献２参照）、チューナの利得をＡＧＣ制御し、放送受信装置固有の受信限界ＢＥＲに基づくＡＧＣ電圧値により自動的に調整されるＡＧＣ判定値を設け、このＡＧＣ判定値で周波数シーク動作等を実行する方法（特許文献３参照）が知られている。
【特許文献１】特開平０３−２７４３１２号公報
【特許文献２】特開平０３−１０１４２８号公報
【特許文献３】特開平０３−１０１４２６号公報
【発明の開示】
【発明が解決しようとする課題】
【０００６】
通常、ディジタル放送におけるアンテナの方向設定では、放送局側のアンテナ、すなわち送信塔の位置は変化しないので、各チャンネル毎に１６方向についてオートスキャンを行い、最も受信状態の良い方向をそのチャンネルの受信方向に設定する。しかしながら、全チャンネルで全方向をスキャンするには大変な時間を要しており、ユーザは直ぐに受像できないということで苛立ちを覚えている。一方、各チャンネルでの放送電界強度は必ずしも一定ではなく、アンテナでの受信電界強度にはバラツキがあるため、電波が弱いと受信電波を復調するためには、ある程度のレベルまで高周波増幅部（以下、ＲＦ増幅部と略称する）で増幅する必要があり、逆に、電波が強すぎるとＲＦ増幅部やチューナ等で混変調、相互変調等による妨害ノイズ発生を防止するため、ＲＦ増幅部の利得を下げる必要がある。また、ＲＦ増幅部の増幅利得レベルによって、ディジタル復調器、ディジタルデコーダでのビット誤り率ＢＥＲ（Ｂｉｔ  Ｅｒｒｏｒ  Ｒａｔｅ）値が大きく影響を受けるので、ＲＦ増幅部の増幅利得レベルを最適な状態に設定する必要がある。
【０００７】
本発明は、上記の問題を解決するためになされたものであり、オートスキャン時に、無駄な多指向性アンテナのサーチ回転をなくし、迅速に最適受信方向が選べると共に、ＲＦ増幅部の増幅利得レベルをＢＥＲ値の小さくなる状態に設定することにより、受信感度がよく、ノイズの少ない高画質なＴＶ受像が得られ、常に最適な受信状態が得られることを可能とするディジタルＴＶ信号受信装置を提供することを目的とする。
【課題を解決するための手段】
【０００８】
上記目的を達成するために請求項１の発明は、予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う放送信号受信手段と、前記放送信号処理手段により処理された信号を一時的に記憶する記憶手段と、ディジタルテレビジョン放送信号受信装置の各部を制御する全体制御手段と、前記放送信号受信手段により受信されたテレビジョン放送信号を復調し、ＢＥＲ（Ｂｉｔ  Ｅｒｒｏｒ  Ｒａｔｅ）値を検出するエラー検出手段と前記エラー検出手段により検出されたＢＥＲ値を一時的に記憶する記憶手段と、前記記憶手段に記憶されたＢＥＲ値に基づいて、受信可能な各チャンネルについての最適な受信方向を決定する受信方向決定手段と前記制御信号出力手段からの利得制御信号により、利得をＯＦＦ（利得０）、Ｌｏｗ、Ｍｉｄｄｌｅ、Ｈｉｇｈの４段階のレベルで利得制御される高周波増幅手段（以下、ＲＦ増幅手段と略称する）とを備え、前記制御信号出力手段は、前記多指向性アンテナへ制御信号を送り、前記多指向性アンテナの全ての受信方向を順にスキャンするために、所定の間隔で前記制御信号を出力すると共に、前記多指向性アンテナの方向が設定される毎に、前記ＲＦ増幅手段に対し増幅利得レベルを前記４段階に設定する利得制御信号を順に出力し、前記エラー検出手段は、各チャンネルのスキャンの全受信方向に対し、その受信方向で前記ＲＦ増幅手段の４段階の増幅利得レベル毎にＢＥＲ値を検出し、検出したＢＥＲ値を前記記憶手段に記憶し、前記受信方向決定手段は、前記ＢＥＲ値がＴＶ受像可能な閾値以下の一定レベルに達した場合は、その時点で現受信チャンネルでの前記多指向性アンテナのスキャンと前記ＲＦ増幅手段の前記利得制御信号による増幅利得レベル変化を停止し、前記受信方向と前記ＲＦ増幅手段の増幅利得レベルを、前記受信チャンネルにおける最適受信方向、最適増幅利得レベルとして前記記憶手段に記憶し、同時に他のチャンネルについても同様の作業を行うことにより、全チャンネルの前記多指向性アンテナの受信方向を決定するものである。
【０００９】
請求項２の発明は、予め規格で定められている複数の受信方向を有する多指向性アンテナが接続されて、前記受信方向のうちいずれか１つの受信方向のみを有効にして、テレビジョン放送信号を受信するディジタルテレビジョン放送信号受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う放送信号受信手段と、前記放送信号処理手段により処理された信号を一時的に記憶する記憶手段と、ディジタルテレビジョン放送信号受信装置の各部を制御する全体制御手段と、前記放送信号受信手段により受信されたテレビジョン放送信号を復調し、ＢＥＲ（Ｂｉｔ  Ｅｒｒｏｒ  Ｒａｔｅ）値を検出するエラー検出手段と、前記エラー検出手段により検出されたＢＥＲ値を一時的に記憶する記憶手段と、前記記憶手段に記憶されたＢＥＲ値に基づいて、受信可能な各チャンネルについての最適な受信方向を決定する受信方向決定手段とを備え、前記受信方向決定手段は、受信可能なチャンネルについて前記多指向性アンテナの全方位の受信方向に連続スキャンし、スキャンされた各受信方向における前記ＢＥＲ値が、設定されたＴＶ受像可能なＢＥＲ閾値以下の一定レベルに達した場合は、その時点でスキャンを停止し、その時点での方向を前記チャンネルの最適な受信方向として決定するものである。
【００１０】
請求項３の発明は、前記多指向性アンテナからの高周波信号（以下、ＲＦ信号と略称する）を増幅し、前記制御信号出力手段からの利得制御信号で増幅利得を可変できる電波信号増幅手段（以下、ＲＦ増幅手段と略称する）を備え、前記受信方向決定手段は、スキャンした各受信方向において、前記ＲＦ増幅手段の増幅利得を単調増大に複数段階の変化させ、前記各段階の前記ＢＥＲ値を検出し、前記ＢＥＲ値が、設定されたＴＶ受像可能なＢＥＲ閾値以下の一定レベルに達した場合は、その時点で現受信チャンネルでの前記多指向性アンテナのスキャンと、前記ＲＦ増幅手段の前記利得制御信号による増幅利得の変化を停止し、この時点での方向を最適な受信方向として決定するものである。
【発明の効果】
【００１１】
請求項１の発明によれば、オートスキャン時に、ＢＥＲ値があるレベル以下になった段階でスキャンを打切ることができるので、全方向スキャンの必要がなくなり、迅速な方向選択ができる。さらに、ＲＦ増幅部を導入して受信感度を向上する一方、ＲＦ増幅部を利得制御可能とすることにより、各チャンネル毎にＲＦ増幅部の最良の増幅利得が得られ、受信方向、受信感度及びＢＥＲ値とも最適値が得られることによって、オートスキャン時に、無駄な多指向性アンテナのサーチ回転をなくし、迅速に最適受信方向が選べると共に、受信感度がよく、ノイズの少ない高画質なＴＶ映像が受像でき、常に最適な受信状態を提供する得ることができる。
【００１２】
請求項２の発明によれば、オートスキャン時に、ＢＥＲ値があるレベル以下になった段階でスキャンを打切ることができるので、全方向スキャンの必要がなくなり、迅速な方向選択ができる。無駄な多指向性アンテナのサーチ回転をなくし、迅速に最適受信方向が選べると共に、ノイズの少ない高画質なＴＶ映像を受像でき、常に最適な受信状態を提供する得ることができる。
【００１３】
請求項３の発明によれば、ＲＦ増幅部を導入したことで受信感度を向上すると共に、ＲＦ増幅部を利得制御可能とすることにより、各チャンネル毎にＲＦ増幅部の最良の増幅利得が得られ、受信方向、受信感度及びＢＥＲ値とも最適値が得られる。従って、オートスキャン時に、受信感度がよく、ノイズの少ない高画質なＴＶ映像が受像でき、常に最適な受信状態を提供する得ることができる。
【発明を実施するための最良の形態】
【００１４】
以下、本発明の一実施の形態に係るディジタルＴＶ放送信号受信装置について図面を参照して説明する。図１は、ユーザが家庭においてＴＶ放送信号を受信する状況を示す。ディジタル（地上波）ＴＶ放送が行われている地域では、受信したディジタルＴＶ放送信号の強度が一定の閾値以上であれば、補正などにより一定の画質の画像が得られる。そのため、図１に示すように、Ａ地域、Ｂ地域、Ｃ地域など複数箇所の点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１５】
ディジタルＴＶ放送信号受信装置は、アナログＴＶ放送信号も受信することができ、ディジタルＴＶ放送信号と同様に、多指向性アンテナの受信方向の数を確認して、無駄のない最適な受信方向制御を行うことができる。従って、特にディジタルＴＶ放送信号とアナログＴＶ放送信号を区別する必要がないときは、単にＴＶ放送信号とする。
【００１６】
一方、ＥＩＡ−９０９規格に準拠したディジタルＴＶ放送信号受信装置は、接続される多指向性アンテナの種類や受信方向の数などにかかわらず、１６の受信方向の全てに対して切り換えが可能でなければならない。
【００１７】
本実施の形態に係るディジタル放送信号受信装置は、多指向性アンテナが接続されたときに、規格で定められている１６の受信方向のそれぞれについてＴＶ放送信号の受信を行い、受信状態を測定する。そして、各受信チャンネルの信号受信強度の最大の方向を記憶しておき、チャンネル選択時にすぐに多指向性アンテナを最適方向に向ける。
【００１８】
図２は、本実施の形態に係るディジタルＴＶ放送信号受信装置１の構成を示す。ディジタルＴＶ放送信号受信装置１は多指向性アンテナ２に接続され、ＴＶ放送信号を増幅するＲＦ増幅器よりなるＲＦ増幅部１１（ＲＦ増幅手段）、ＴＶ放送信号を選局受信するチューナ（放送信号受信手段）１２、チューナ１２で受信したディジタルＴＶ放送信号に対して所定の信号処理を行い、復号化するＡＴＳＣフロントエンド（ディジタル信号処理手段）１３、チューナ１２で受信したアナログＴＶ放送信号を復号化するＮＴＳＣデコーダ（アナログ信号処理手段）１４、ＭＰＥＧ圧縮されていたＴＶ放送信号をデコードするＭＰＥＧデコーダ（信号出力手段）１５、デコードされたＴＶ放送信号に所定の表示画像を重畳させるオンスクリーンディスプレイ部（ＯＳＤ）１８、チューナ１２により受信したＴＶ放送信号の受信状態を検知し、多指向性アンテナ２の制御ユニット２１を制御する（受信方向決定手段、及び制御信号出力手段として機能する）とともに、ＡＴＳＣフロントエンド１３やＮＴＳＣデコーダ１４などを制御する（全体制御手段として機能する）制御部（ＣＰＵ）１６、デコードされたＴＶ放送信号を一時的に記憶し、またデコードされたＴＶ放送信号に重畳させる表示画像を記憶するメモリ（記憶手段）１７などで構成されている。ＭＰＥＧデコーダ１５によりデコードされたＴＶ放送信号は、オンスクリーンディスプレイ部１８を介してモニタ装置３に出力され、表示される。ＲＦ増幅部１１は、制御部からの利得制御信号により、増幅利得が４段階レベルで単調増大にＯＦＦ、Ｌｏｗ、Ｍｉｄｄｌｅ、Ｈｉｇｈの順で制御される。また、チューナ１２はＡＴＳＣデコーダ１３、及びＭＰＥＧデコーダ１５と共に、放送信号受信手段として機能すると共に、受信したディジタルＴＶ放送を復調し、ＢＥＲ（Ｂｉｔ  Ｅｒｒｏｒ  Ｒａｔｅ）値を検出するエラー検出手段としても機能する。なお、ディジタルＴＶ放送では、ユーザ側のディジタルＴＶ放送信号受信装置１から放送局に向けてデータの送信が可能であるが、本発明とは直接関係がないので、その説明は省略する。
【００１９】
多指向性アンテナ２の制御ユニット２１は、制御部１６からの制御信号に応じて起動し、多指向性アンテナの検出後、多指向性アンテナ２の複数ある受信方向のうち、指示された方向のみを有効にする。多指向性アンテナ２がモータでアンテナを回転させて受信方向を切り換えるタイプである場合、制御ユニット２１はモータの回転を制御して、アンテナを指示された方向に向ける。一方、多指向性アンテナ２が電子スイッチのオン／オフにより有効なアンテナの方向を切り換えるタイプである場合、指示された方向のアンテナに接続された電子スイッチのみをオンし、その他の電子スイッチをオフする。
【００２０】
図３は多指向性アンテナ２（スマートアンテナ）がＥＩＡ−９０９規格で定められた１６方向の受信方向を有する場合おけるＴＶ放送信号のアンテナの方向の違いによる受信状態例を示したものである。同図において、符号Ｄ０１〜Ｄ１６は、それぞれＥＩＡ−９０９規格で定められた１６の受信方向を示す。ＴＶ放送の各チャンネルの電波到来方向は、例として、太字の矢印の中にＣＨ−１，ＣＨ−２、ＣＨ−３（ＣＨはチャンネルの略称）のように示しており、同図は、アンテナの方向の受信状態例を示す。
【００２１】
次に、ディジタルＴＶ放送信号受信装置１の制御部１６による多指向性アンテナ２の受信方向制御について、図４に示すフローチャートを参照しつつ説明する。まず、図４において、制御部１６は、チューナ１２に多指向性アンテナ２に接続されたことを検出すると、オートスキャンが開始し、チャンネル選択により（Ｓ１）、チャンネルＸが設定されると（Ｓ２）、制御部１６は、カウンタにｎ＝１６をセットし（Ｓ３）、第ｎ番目の方向を指定する制御信号を出力する（Ｓ４）。制御信号を多指向性アンテナ２の制御ユニット２１に出力し、多指向性アンテナ２の受信方向切り換えに要する時間を経過した後、制御部１６により増幅利得Ｌｏｗに設定されたＲＦ増幅部１１を経て、チューナ１２によりチャンネルＸのＴＶ放送信号が受信され、ＡＴＳＣデコーダ１３、及びＭＰＥＧデコーダ１５により復調されてＢＥＲ値を検出する（Ｓ５）。検出されたＢＥＲ値は、受信基準として設定したＢＥＲ閾値と比較し、現在の受信信号強度のＢＥＲ値がＢＥＲ閾値より低ければ、十分が高画質の受像が得られると判断し（Ｓ６でＹＥＳ）、現受信方向をチャンネルＸのアンテナ方向と決め、その時の方向と利得制御レベルをメモリ１７に保存し、ＡＤＤフラグをオンとして登録する（Ｓ１５）。次に、Ｓ６でＮＯの場合は、ＲＦ増幅部１１の増幅利得レベルをＭｉｄｄｌｅに設定し、先と同様に、ＢＥＲ値を検出し、検出されたＢＥＲ値がＢＥＲ閾値より低ければ（Ｓ６でＹＥＳ）、Ｓ１５でチャンネルＸの最適受信方向を決定し、その方向とＲＦ利得制御レベルをメモリ１７に保存し、ＡＤＤフラグをオンとして登録する（Ｓ１５）。以下、Ｓ９，Ｓ１０，Ｓ１１，Ｓ１２においても同様にして、ＲＦ増幅利得レベルをＭｉｄｄｌｅからＨｉｇｈまで変化し、得られたＢＥＲ値がＢＥＲ閾値より低ければ、最適受信方向を決定すると同時に、その方向とＲＦ増幅利得レベルをメモリ１７に保存し（Ｓ１５）、ＡＤＤフラグをオンとして登録して（Ｓ１５）、終了する。なお、ＡＤＤフラグのオンは、あるチャンネルが受信可能なチャンネルとして登録されている状態を表現している。
【００２２】
一方、ＲＦ増幅部の増幅利得レベルを４段階変えても、得られたＢＥＲ値がＢＥＲ閾値より低くならなければ、カウンタを１つ減算し（Ｓ１３）、次の受信方向に変えて同様の測定を行い、ＢＥＲ閾値より低い得ＥＲ値が得られた時点で、スキャンを止め方向を決定する。以下、ＢＥＲ閾値より低いＢＥＲ値が得られるまで、方向を変えて測定を繰り返し、方向１６の受信方向の全てについてディジタルＴＶ放送信号のＢＥＲ値を測定したか否かを判断し（Ｓ１４）、１６の全ての受信方向についてディジタルＴＶ放送信号のＢＥＲ値を測定していない場合（Ｓ１４でＮＯ）は、ステップＳ４に戻って次の受信方向についてディジタルＴＶ放送信号のＢＥＲ値を測定する。１６の受信方向の全てについてＴＶ放送信号のＢＥＲ値の測定が完了すると（Ｓ１４でＹＥＳ）、最適受信方向なしとし、ＲＦ増幅利得レベルをＯＦＦに戻し、ＡＤＤフラグオフ登録して（Ｓ１６）、終了する。なお、ＡＤＤフラグのオフは、あるチャンネルが受信不可能なチャンネルとして登録されている状態を表現している。
【００２３】
次に、図５は、各受信チャンネルの方向におけるＢＥＲ値の測定例として、ＲＦ増幅部の増幅利得レベルをパラメータとするＢＥＲ値の測定から、受信方向の決定に至るプロセスについて説明するための図を示す。同図でＤ０１からＤ１６はアンテナの受信方向番号を示し、各チャンネルにおいて、ＲＦ増幅部の増幅利得レベルをＯＦＦ、Ｌｏｗ、Ｍｉｄｄｌｅ、Ｈｉｇｈの順に４段階のレベルをパラメータとして、各受信方向でのＢＥＲ値の測定した値を表に示す。例えば、ＣＨ−１では方向Ｄ０１で増幅利得レベルＯＦＦにおいて、ＢＥＲ値が０なので当然ＢＥＲ閾値より小さい条件を満足しているので、この時点で方向をＤ０１決定し、未測定の残る方向、他の増幅利得レベルについては測定せず、次のチャンネルの測定に移る。次の例として、ＣＨ−２では、方向Ｄ０１では電波が弱すぎた状態で、Ｃ／Ｎが劣化して増幅利得レベルをＨｉｇｈにしても測定不可なので、方向をＤ０２に変えて測定し直す。この場合、受信はできているが、ＢＥＲ値が最適な受信映像が得られるＢＥＲ閾値（この場合は、仮に、３×１０−６に設定）より低い値とならないので、さらに方向をＤ０３に変えて測定し、増幅利得レベルＬｏｗの時点で初めてＢＥＲ閾値３×１０−６より低いＢＥＲ値が得られたことにより、この時点で方向がＤ０３に決定されアンテナのスキャンが止まる。同様に、ＣＨ−３では、方向Ｄ０１からＤ０５まではＢＥＲ閾値以下のＢＥＲ値が得られず、方向Ｄ０６の増幅利得レベルＭｉｄｄｌｅの時点で初めてＢＥＲ閾値より低いＢＥＲ値が得られるので、方向Ｄ０６で増幅利得レベルＭｉｄｄｌｅに決定し、以降は測定しない。この様に、最適な受信映像が得られるＢＥＲ閾値より低いＢＥＲ値が得られた時点で、方向が決定されるので、他の残りの方向、他の増幅利得レベルをパラメータとする測定をしなくて済むので、アンテナの方向調整を短時間に簡単に行うことができる。また、従来のように、各方向での測定受信データを全てメモリに蓄えた後、それらを比較決定する方法に比べ、使用する半導体メモリ量も少なくて済むメリットがある。
【００２４】
図６は、上記のようにして得られた受信チャンネル、受信方向及び増幅利得レベルとの関係を結びつける受信方向テーブルを示す。同図において、４１は物理的なＴＶチャンネル、４２はチャンネル選択時のＡＤＤフラグ、４３は最適受信方向番号、そして４４は増幅利得レベルを示し、ある受信チャンネルを選択した際に、受信可能を示すＡＤＤフラグの○印がついていれば、直ぐに最適受信方向番号４３と増幅利得レベル４４が選ばれ、最適な受信が行える。なお、最適受信方向の得られなかったチャンネルの増幅利得レベルはＯＦＦの状態に設定される。
【００２５】
以上述べたように、オートスキャン時に、ＢＥＲ（Ｂｉｔ  Ｅｒｒｏｒ  Ｒａｔｅ）値があるレベル以下を得た段階でスキャンを打切ることができるので、残りの方向のスキャンをしないので全方向スキャンの必要がなくなり、迅速な方向選択ができる。さらに、ＲＦ増幅器を導入して受信感度を向上する一方、ＲＦ増幅器を利得制御可能とすることにより、各チャンネル毎にＲＦ増幅器の最良の増幅利得が得られて、受信方向、受信感度及びＢＥＲ値とも最適値が得られること等によって、オートスキャン時に、無駄な多指向性アンテナのサーチ回転を削減し、迅速に最適受信方向が選べると共に、受信感度が向上し、ノイズの少ない高画質なＴＶ映像が受像でき、常に最適な受信状態を提供する得ることができる。
【００２６】
そして、ディジタルＴＶ放送の受信においては、ディジタル変調の特性上、あるレベル以下のＢＥＲ値が得られれば、ＴＶ画像はかなり満足のいく高画質のレベルが得られるので、従来の、受信信号強度の最大の方向で最適受信方向を判断するよりも、ＢＥＲ値で判断した方がＴＶ受像画質の良否に直接的に結びつけて、より正確な判断ができ、常に高画質な受信が可能となる。
【００２７】
なお、本発明は、上記実施形態に限られるものではなく、様々な変形が可能である。ＢＥＲ閾値は一定ではなく可変にすることも可能である。ハイビジョンのようなビットレートが高く、より高画質、高音質のテレビ映像を受信する場合は、ＢＥＲ閾値のレベルを下げて、受信方向を選択して、ビット誤り率が出来るだけ小さい状態で受信できるようにし、ビットレートの低い信号を受信する場合は、ＢＥＲ閾値を上げて、受信しやすくすることも出来る。
【００２８】
また、本実施形態では、ＲＦ増幅部１１の位置はディジタルＴＶ放送信号受信装置１側に設けたが、Ｃ／Ｎを少しでも良くするため等で、アンテナ側に設けることも可能である。
【００２９】
一方、チューナ１２に利得制御されるＲＦ増幅器が内蔵されている場合には、チューナ１２を直接に利得制御することにより、ＲＦ増幅部１１導入時と同様の作用効果を得ることができる。
【図面の簡単な説明】
【００３０】
【図１】ユーザが家庭においてディジタルＴＶ放送信号を受信する状況を示す概念図。
【図２】本発明の一実施形態に係るディジタルＴＶ放送信号受信装置の構成を示す電気的ブロック図。
【図３】アンテナの方向とＴＶ放送信号の受信状態の一例を示す図。
【図４】上記ディジタルＴＶ放送信号受信装置によるオートスキャンの動作を示すフローチャート。
【図５】上記オートスキャンの動作で得られたＢＥＲ値の測定例を示す図。
【図６】全域スキャン処理により作成された受信方向テーブル。
【符号の説明】
【００３１】
１  ディジタルＴＶ放送信号受信装置
２  多指向性アンテナ（スマートアンテナ）
３  モニタ装置
１１  ＲＦ増幅部（ＲＦ増幅手段）
１２  チューナ（放送信号受信手段）
１３  ＡＴＳＣフロントエンド（ディジタル信号処理手段）
１４  ＮＴＳＣデコーダ
１５  ＭＰＥＧデコーダ
１６  制御部（制御信号出力手段、受信方向決定手段、全体制御手段）
１７  メモリ（記憶手段）
１８  オンスクリーンディスプレイ部
２１  制御ユニット
【図１】
2006033630.tif 000003
【図２】
2006033630.tif 000004
【図３】
2006033630.tif 000005
【図４】
2006033630.tif 000006
【図５】
2006033630.tif 000007
【図６】
2006033630.tif 000008
【手続補正書】
【提出日】平成17年7月28日(2005.7.28)
【手続補正１】
【補正対象書類名】明細書
【補正対象項目名】０００５
【補正方法】変更
【補正の内容】
【０００５】
また、チューナに入力するディジタル放送波のブート回路の利得を切り換えて、ディジ
タル放送と従来のアナログ信号による放送とが混在する場合でもディジタル放送による番
組を良好に視聴する方法（特許文献１参照）、地上波ディジタル放送受信機において、デ
ィジタル放送信号の復号デコーダから随時ＢＥＲ（Ｂｉｔ  Ｅｒｒｏｒ  Ｒａｔｅ）値を
求め、これによりアンテナアンプの有無を制御し、受信状態を良好な状態に移行させる方
法（特許文献２参照）、チューナの利得をＡＧＣ制御し、放送受信装置固有の受信限界Ｂ
ＥＲに基づくＡＧＣ電圧値により自動的に調整されるＡＧＣ判定値を設け、このＡＧＣ判
定値で周波数シーク動作等を実行する方法（特許文献３参照）が知られている。
【特許文献１】特開２００３−２７４３１２号公報
【特許文献２】特開２００３−１０１４２８号公報
【特許文献３】特開２００３−１０１４２６号公報